(57)【特許請求の範囲】
【請求項１】
臀部を型取り対象としてその形状を型取るために用いられるフォームを有する型取り器において、
前記フォームは、塑性変形性の材料から構成され、型取り対象が押し当てられる四辺を有する矩形状の上面と、当該上面の下方に位置し、前記型取り対象から受ける圧力に応じて変形する緩衝部とを有し、
前記上面のうち少なくとも型取りの際に型取り対象が位置する中央部に、前記緩衝部の厚み方向に延びる複数の孔が形成され、
複数の周壁と底壁とを備える箱型形状を有し、前記フォームを収容する収容部材を、更に備え、
前記収容部材の前記複数の周壁のうち、型取りの際に臀部の大腿部側に位置する一つの周壁の少なくとも一部が取り外し可能に構成され、当該取り外しにより前記フォームの一部が露出する型取り器。
【請求項２】
前記複数の孔が形成されている領域は、前記上面の周縁部を除いた位置であって、前記上面の四辺のうち、型取りの際に臀部の大腿部側に位置する一辺側に寄った位置にあり、
前記複数の孔はそれぞれ大きさが同じで、前記複数の孔の深さは、型取りの際に型取り対象が位置する前記上面の中央部から離れるにつれて深くなっている請求項１に記載の型取り器。
【請求項３】
前記複数の孔が形成されている領域は、前記上面の周縁部を除いた位置であって、前記上面の四辺のうち、型取りの際に臀部の大腿部側に位置する一辺側に寄った位置にあり、
前記複数の孔はそれぞれ大きさが同じで、単位面積当たりの前記孔が形成されている数は、型取りの際に型取り対象が位置する前記上面の中央部から離れるにつれて多くなっている請求項１または請求項２に記載の型取り器。
【請求項４】
前記複数の孔のうち少なくとも一部の孔が前記フォームを貫通している、請求項１乃至請求項３の何れかに記載の型取り器。
【請求項５】
前記複数の孔の大きさは、型取りの際に型取り対象が位置する前記上面の中央部から離れるにつれて大きくなっている、請求項１に記載の型取り器。
【請求項６】
前記フォームの材料は、発泡ウレタンである、請求項１乃至請求項５の何れか１項に記載の型取り器。
【請求項７】
請求項１乃至請求項６の何れか１項に記載の型取り器と、
前記型取り器が載置される載置面を有する座面部および当該座面部を支持する脚部を有する椅子部と、を備える型取りキット。
【請求項８】
型取り対象の形状を型取るために用いられるフォームを有する型取り器であって、前記フォームは、塑性変形性の材料から構成され、型取り対象が押し当てられる上面と、当該上面の下方に位置し、前記型取り対象から受ける圧力に応じて変形する緩衝部とを有し、前記上面のうち少なくとも型取りの際に型取り対象が位置する中央部に、前記緩衝部の厚み方向に延びる複数の孔が形成されている型取り器と、
前記型取り器が載置される載置面を有する座面部および当該座面部を支持する脚部を有する椅子部と、を備え、
前記座面部は、内部が中空の箱形状を有し、その側壁の少なくとも一部が開閉可能に構成されており、
前記座面部の内部には、前記型取り器と同じ構成の予備用の型取り器が収容されている型取りキット。
【請求項９】
前記座面部の前記載置面には、面ファスナーのフックまたはループのいずれか一方が設けられ、
前記型取り器の底壁には、前記型取り器を前記載置面に載置した状態において前記フックまたはループのいずれか一方に対応する位置に、面ファスナーのフックまたはループのいずれか他方が設けられている、請求項８に記載の型取りキット。
【発明の詳細な説明】
【技術分野】
【０００１】
本発明は、型取り器に関し、特に臀部などの型取り対象の形状を型取る技術に関する。
【背景技術】
【０００２】
個人の体型に合わせて衣服、靴、椅子等を製作する所謂オーダーメイドのサービスが普及している。当該サービスにおいては個人の体型を計測する必要がある。メジャー等を用いて計測することも可能であるが、より正確な形状を計測するために個人の体型を型取る型取り器が考案されている。例えば特許文献１には、可変材を収容した容器に型取り対象となる足を挿入させ、当該足の裏面から受ける圧力により可変材の表面に足の裏面に対応した凹凸を形成可能な型取り器が開示されている。
【先行技術文献】
【特許文献】
【０００３】
【特許文献１】特開２０１２−２１７５２７号公報
【発明の概要】
【発明が解決しようとする課題】
【０００４】
型取り器で用いられる可変材には、一般に粘土等の比較的柔らかい部材が用いられる。このため、型取り後の可変材から体型のデータを採取するまでに長時間経過する場合には、型取り後の形状が保たれず形状が変化するおそれがある。店舗等で型取り器が用いられる場合には、型取り後すぐに可変材から体型のデータを採取することが可能であるため、上記の型取り後の形状が維持されないという問題が発生することが少ない。
【０００５】
ここで、店舗等で型取り器を用いるのではなく、型取り器を個人の自宅等に配送し、個人で型取り器を用いた型取りを行った後、型取り後の型取り器を送り返してもらうことで、体型のデータを採取してオーダーメイドの製品を製作するサービスが考えられる。しかしながらこの場合、型取り後の型取り器を配送する必要があり、型取り後の可変材から体型のデータを採取するまでに長時間経過してしまう。このため、上記の型取り後の形状が維持されないという問題が発生する場合がある。また、配送中に受ける外圧により可変材が変形してしまう場合もある。
【０００６】
この問題を回避するために、一般に用いられる粘土等ではなく一定の定形性を有する材料を可変材に用いることが考えられる。しかしながら、一定の定形性を有する材料を可変材に用いた場合、型取り対象から受ける圧力により可変材が変形し難く、型取りの精度が低下するという問題が生じる。型取り対象が足等の小さい部位である場合には、型取り対象から受ける圧力が比較的大きいため、可変材が変形し難いという上記の問題が生じにくい。しかしながら、型取り対象が臀部等の大きな部位である場合には、型取り対象から受ける圧力が比較的小さいため、可変材が変形し難いという上記の問題が生じ易い。
【０００７】
本発明は、上記の事情に鑑みなされたものであり、臀部などの型取り対象の形状を型取る際に、可変材（フォーム）を変形しやすくしつつも、変形後の可変材の形状を維持することを可能にすることを目的とする。
【課題を解決するための手段】
【０００８】
本発明の一態様にかかる型取り器は、型取り対象の形状を型取るために用いられるフォームを有する型取り器において、前記フォームは、塑性変形性の材料から構成され、型取り対象が押し当てられる上面と、当該上面の下方に位置し、前記型取り対象から受ける圧力に応じて変形する緩衝部とを有し、前記上面のうち少なくとも型取りの際に型取り対象が位置する中央部に、前記緩衝部の厚み方向に延びる複数の孔が形成されている。
【０００９】
上記の態様によれば、臀部などの型取り対象の形状を型取る際に、可変材を変形しやすくしつつも、変形後の可変材の形状を維持することが可能になる。
【００１０】
また、本発明の一態様にかかる型取り器の別の局面では、前記型取り対象が臀部であり、前記上面は、四辺を有する矩形状であり、前記複数の孔が形成されている領域は、前記上面の周縁部を除いた位置であって、前記上面の四辺のうち、型取りの際に臀部の大腿部側に位置する一辺側に寄った位置にある。
【００１１】
上記の態様によれば、型取り対象が押し当てられる領域のみに複数の孔を形成し、型取り対象が押し当てられない領域（周縁部）に孔を形成しないことで、変形後のフォームの形状の形状維持性を高めることができる。
【００１２】
フォームの上面の四辺のうち何れか一辺側に位置する領域には、臀部に加えて大腿部が接触する。上記の態様によれば、複数の孔が形成される領域を、大腿部が接触する一辺側に寄った位置に設けることで、上面が大腿部から受ける圧力により変形し易くなる。このため、大腿部の形状を正確に型取ることができる。
【００１３】
また、フォームの上面のうち上記一辺側とは反対側に位置する領域には、型取りの際に上記一辺側に位置する領域よりも大きな圧力がかかる。臀部だけでなく胴体や頭部といった部位の圧力がかかるためである。上記の態様によれば、上面の上記一辺側とは反対側においては、孔が形成されない領域が上面の上記一辺側よりも大きいため、上面の上記一辺側とは反対側における形状維持性を高めることができる。
【００１４】
また、本発明の一態様にかかる型取り器の別の局面では、前記複数の孔のうち少なくとも一部の孔が前記フォームを貫通している。
【００１５】
上記の態様によれば、複数の孔のうち少なくとも一部の孔をフォームを貫通するように形成することで、型取り対象から受ける圧力により移動（変形）するフォームの移動先をより多く確保することができる。従って、フォームの上面が型取り対象から受ける圧力により変形し易くなる。
【００１６】
また、本発明の一態様にかかる型取り器の別の局面では、前記複数の孔の深さは、型取りの際に型取り対象が位置する前記上面の中央部から離れるにつれて深くなっている。
【００１７】
上記の態様によれば、型取り対象の臀部などが接触する位置から離れた位置にある領域を変形し易くすることができ、型取り対象の形状を正確に型取ることができる。
【００１８】
また、本発明の一態様にかかる型取り器の別の局面では、単位面積当たりの前記孔が形成されている数は、型取りの際に型取り対象が位置する前記上面の中央部からから離れるにつれて多くなっている。
【００１９】
上記の態様によれば、型取り対象の臀部などが接触する位置から離れた位置にある領域を変形し易くすることができ、型取り対象の形状を正確に型取ることができる。
【００２０】
また、本発明の一局面にかかる型取り器の別の局面では、前記複数の孔の大きさは、型取りの際に型取り対象が位置する前記上面の中央部からから離れるにつれて大きくなっている。
【００２１】
上記の態様によれば、型取り対象の臀部などが接触する位置から離れた位置にある領域を変形し易くすることができ、型取り対象の形状を正確に型取ることができる。
【００２２】
また、本発明の一態様にかかる型取り器の別の局面では、前記フォームの材料は、発泡ウレタンである。
【００２３】
上記の態様によれば、変形後のフォームの形状の形状維持性を高めることができる。
【００２４】
また、本発明の一態様にかかる型取り器の別の局面では、前記型取り対象が臀部であり、複数の周壁と底壁とを備える箱型形状を有し、前記フォームを収容する収容部材を、更に備え、前記複数の周壁のうち、型取りの際に臀部の大腿部側に位置する一つの周壁の少なくとも一部が取り外し可能に構成されている。
【００２５】
型取り対象が臀部である場合、取り外された上記の周壁の一部が存在した範囲に大腿部が位置することになる。上記の態様によれば、大腿部が収容部材の周壁に乗り上げることがないため、臀部の型取りの際に個人の姿勢が崩れることがなく、個人の臀部の形状を正確に型取ることができる。
【００２６】
また、本発明の別の一態様にかかる型取りキットは、上記の型取り器と、前記型取り器が載置される載置面を有する座面部および当該座面部を支持する脚部を有する椅子部と、を備える。
【００２７】
上記の態様によれば、個人自身で椅子を別途用意しなくても、安定した姿勢で臀部などの型取り対象の型取りを行うことができる。
【００２８】
また、本発明の一態様にかかる型取りキットの別の局面では、前記座面部は、内部が中空の箱形状を有し、その側壁の少なくとも一部が開閉可能に構成されており、前記座面部の内部には、前記型取り器と同じ構成の予備用の型取り器が収容されている。
【００２９】
上記の態様によれば、個人が型取り対象の型取りに失敗した場合であっても、座面部の載置面上から型取り器を取り外し、座面部の内部から予備用の型取り器を取り出し、当該取り出した予備用の型取り器を座面部の載置面上に載置することで、再度型取り対象の型取りを行うことが可能となる。
【００３０】
また、本発明の一局面にかかる型取りキットの別の局面では、前記座面部の前記載置面には、面ファスナーのフックまたはループのいずれか一方が設けられ、前記型取り器の底壁には、前記型取り器を前記載置面に載置した状態において前記フックまたはループのいずれか一方に対応する位置に、面ファスナーのフックまたはループのいずれか他方が設けられている。
【００３１】
上記の態様によれば、個人が型取り対象の型取りに失敗した際に、座面部の載置面上から型取り器を取り外すことが可能であり、かつ、予備用の型取り器を座面部の載置面上に固定することが可能となる。
【発明の効果】
【００３２】
本発明によれば、型取りの際に可変材を変形しやすくしつつも、変形後の可変材の形状を維持することが可能になる。
【図面の簡単な説明】
【００３３】
【図１】（Ａ）および（Ｂ）は、本発明の一実施形態にかかる型取り器を示す斜視図である。
【図２】本発明の一実施形態にかかる型取り器の使用形態の一例を示す図である。
【図３】本発明の一実施形態にかかる型取り器の平板を示す斜視図である。
【図４】本発明の一実施形態にかかる型取り器のフォームを示す斜視図である。
【図５】（Ａ）は、本発明の一実施形態にかかる型取り器のフォームを示す上面図であり、（Ｂ）は、（Ａ）に示す上面図の一部を拡大した図である。
【図６】（Ａ）は、本発明の変形例１にかかる型取り器のフォームを示す上面図であり、（Ｂ）および（Ｃ）は、（Ａ）に示す上面図の一部を拡大した図である。
【図７】本発明の変形例２にかかる型取りキットを示す斜視図である。
【図８】（Ａ）は、本発明の変形例２にかかる椅子部を示す斜視図であり、（Ｂ）は、本発明の変形例２にかかる座面部を示す斜視図である。
【図９】本発明の変形例２にかかる収容部材の底壁を示す図である。
【図１０】本発明の変形例２にかかる型取りキットの使用形態の一例を示す図である。
【図１１】（Ａ）〜（Ｅ）は、本発明の一実施形態にかかる型取り器のフォームを示す六面図である。
【図１２】（Ａ）〜（Ｃ）は、変形例にかかる型取り器のフォームを示す図である。
【発明を実施するための形態】
【００３４】
本発明の一実施形態にかかる型取り器について図面を参照して説明する。図１（Ａ）は、本発明の一実施形態にかかる型取り器を示す斜視図である。
【００３５】
型取り器１は、個人の臀部を型取る器具であって、フォーム１０、および当該フォーム１０を収容する収容部材２０を備える。
【００３６】
フォーム１０は、塑性変形性の材料である発泡ウレタンから構成される平板状の部材である。図１（Ａ）に示す例では、フォーム１０は、縦幅（Ｚ方向の長さ）が３３．５ｃｍであり、横幅（Ｘ方向の長さ）が４７．０ｃｍであり、高さ（Ｙ方向の長さ）４．５ｃｍである。型取り対象の臀部以外から受ける外圧によりフォーム１０が変形することを防ぐために、フォーム１０は収容部材２０内に収容されている。
【００３７】
収容部材２０は、段ボール製の部材からなり、複数の周壁（前壁２１、後壁２２、左壁２３、右壁２４）と底壁とを備える箱型形状を有する。収容部材２０の底壁には、後述する平板３０（図１（Ｂ）および図３参照）を介して、フォーム１０が載置されている。この状態において、フォーム１０の周面および下面が収容部材２０の周壁および底壁により覆われる一方、フォーム１０の矩形状の上面１１が開放されている。当該フォーム１０の上面１１が、型取り対象の臀部が押し当てられる押当面となる。また、フォーム１０の上面１１より下方に位置する部分が、型取り対象の臀部から受ける圧力に応じて変形する緩衝部として機能する。
【００３８】
収容部材２０の前壁２１には、切り目２１２が形成されている。当該切り目２１２に沿って前壁２１を切り取ることで、前壁２１の一部分２１１が収容部材２０の本体から取り外すことができる。図１（Ｂ）に示すように、前壁２１の一部分２１１が取り外された状態において、フォーム１０の周面のうち前面１３が露出する。
【００３９】
図２は、型取り器１の使用形態の一例を示す図である。型取り器１は、店舗等で業者により使用される使用形態だけでなく、型取り器１を個人の自宅等に配送して、自宅等で個人により使用される使用形態も想定している。型取り器１は、図１（Ａ）に示す状態で配送される。すなわち型取り器１は、前壁２１の一部分２１１が取り外されていない状態で配送される。
【００４０】
型取り器１の配送後、個人により前壁２１の一部分２１１が取り外され、図１（Ｂ）に示す状態の型取り器１が、椅子４０の座板４１上に載置される。このとき、フォーム１０の前面１３および収容部材２０の前壁２１が、座板４１の前方側（図中のマイナスＺ方向）に向く。その後図２に示すように、個人が座板４１に載置された型取り器１の上に座る。このとき、フォーム１０の上面１１が個人の臀部により押圧され、臀部から受ける圧力により臀部の形状に対応した凹凸が形成される。
【００４１】
既述の通り、型取り器１が座板４１上に載置された状態において、収容部材２０の前壁２１が座板４１の前方側に向いている。このため、臀部の型取りの際には、個人の大腿部が、前壁２１の一部分２１１が存在した範囲に位置することになる。このように、個人の大腿部が収容部材２０の周壁に乗り上げることがないため、臀部の型取りの際に個人の姿勢が崩れることがなく、個人の臀部の形状を正確に型取ることができる。
【００４２】
型取り後、個人により前壁２１の一部分２１１が元の位置に戻される。これにより露出していたフォーム１０の前面１３が覆われる。その状態で、すなわち図１（Ａ）に示す状態で、型取り器１が業者に送り返される。前壁２１の一部分２１１が元の位置に戻されているため、配送中に受ける外圧によりフォーム１０の周面や周面および下面が変形することが防がれる。なお、段ボール等の梱包材により型取り器１を更に梱包したうえで、型取り器１を配送してもよい。
【００４３】
業者は、送り返された型取り器１のフォーム１０の上面１１の凹凸から、個人の臀部の形状を採取する。例えば、フォーム１０の上面１１を撮影して、当該撮影して得られた画像を解析する。この画像解析により上面１１の凹凸の奥行き位置を特定することで、臀部の形状を採取する。そして業者は、当該採取した臀部の形状を用いて、個人の臀部の形状に合った座面を有する椅子やクッション等を製作する。
【００４４】
続いて、平板３０およびフォーム１０の詳細な構成について説明する。図３は、平板３０を示す斜視図である。平板３０は、プラスチック製の部材からなり、柱形に成形された中芯３３の両面にライナ３１、３２が貼り合わせて構成されている（図中のＡ部拡大図参照）。このように平板３０は、所謂ハニカム構造を有しているため、Ｙ方向およびマイナスＹ方向への力に対して強い抗力を有する。
【００４５】
収容部材２０は、段ボール製の部材からなるため、その底壁がＹ方向およびマイナスＹ方向への力に対してそれほど強い抗力を有していないが、収容部材２０の底壁とフォーム１０との間に上記の平板３０を挿入することで、型取り器１全体としてＹ方向およびマイナスＹ方向への力に対して強い抗力を備えることができる。このため、例えば型取り器１が載置される椅子４０の座板４１がクッション性を有しており、型取り器１が載置される面が不安定である場合であっても、型取りの際にフォーム１０の傾き等が変化することなく、個人の臀部の形状を正確に型取ることができる。
【００４６】
図４は、フォーム１０を示す斜視図である。図５（Ａ）は、フォーム１０を示す上面図である。図５（Ｂ）は、図５（Ａ）に示す上面図の一部を拡大した図である。これらの図面に示すように、フォーム１０の上面１１には、複数の孔１２が形成されている。当該複数の孔１２は、フォーム１０の上面１１より下方に位置する緩衝部の厚み方向（図中のマイナスＹ方向）に向けて延び、フォーム１０を貫通している。なお、複数の孔１２の全てがフォーム１０を貫通していなくてもよい。複数の孔１２の少なくとも一部がフォーム１０を貫通していればよい。
【００４７】
ここで、既述の通りフォーム１０の材料には、一般に用いられる粘土等の比較的柔らかい部材ではなく、発泡ウレタンが用いられている。
【００４８】
まず、フォームの材料として、一般に用いられる粘土等の比較的柔らかい部材について説明する。当該部材がフォームの材料として用いられるのは、型取りの際に型取り対象から受ける圧力により変形しやすくするためである。しかしながら、型取り器を個人の自宅等に配送して、自宅等で個人により型取り器が使用される新たな使用形態においては、下記の２つの問題があることを発明者は見出した。すなわち第１に、型取り器を配送する際の経時にともないフォームが変形するという問題がある。また第２に、配送中に受ける外圧によりフォームが変形してしまうという問題がある。
【００４９】
発明者は、上記の問題を回避するために鋭意研究の結果、フォーム１０の材料に一般に用いられる粘土等ではなく一定の定形性を有する発泡ウレタンを採用することを想起した。これにより、変形後のフォーム１０の形状を維持することができ、上記の２つの問題を解消することができる。
【００５０】
そして発明者は、この上で更に鋭意研究の結果、上記の一定の定形性を有する発泡ウレタンをフォーム１０の材料に採用した場合に発生する問題を見出した。すなわち、一定の定形性を有する発泡ウレタンをフォーム１０の材料に採用した場合、型取り対象から受ける圧力により可変材が変形し難い。このため、フォーム１０の上面が型取り対象の形状に変形し難く、型取りの精度が低下するという問題が生じる。型取り対象が足等の小さい部位である場合には、型取り対象から受ける圧力が比較的大きいため、フォーム１０が変形し難いという上記の問題が生じにくい。しかしながら、型取り対象が臀部等の大きな部位である場合には、型取り対象から受ける圧力が比較的小さいため、フォーム１０が変形し難いという上記の問題が生じ易い。
【００５１】
発明者は、上記の問題を回避するため更なる鋭意研究を行った。その結果、フォーム１０の上面１１に複数の孔１２を形成することを想起するに至った。フォーム１０の上面１１に複数の孔１２を形成することで、当該複数の孔１２が、型取り対象から受ける圧力により移動（変形）するフォーム１０の移動先として機能する。このため、フォーム１０の上面１１が型取り対象から受ける圧力により変形し易くなる。また、フォーム１０は、一定の定形性を有する発泡ウレタンから構成されているため、変形後のフォーム１０の形状を維持することができる。すなわち型取り器１では、型取りの際には、型取り対象から受ける圧力により変形し易く、変形後には、変形後のフォーム１０の形状を維持することができる。
【００５２】
図５（Ｂ）を用いて、複数の孔１２について説明する。本図に示すように、複数の孔１２は、その直径が全て同じ長さＨ１である。そして、複数の孔１２が並設されてなる列が一定の間隔Ｌ２をおいて、フォーム１０の上面１１上に複数並んでいる。具体的には、一列に５１個の孔１２が形成された列と、一列に５０個の孔１２が形成された列とが交互に８０列並んでいる。これにより、隣り合う孔１２との間隔が全て同じ長さＬ１となっている。
【００５３】
ここで図５（Ａ）に示すように、複数の孔１２が形成されている領域Ｓは、型取りの際に臀部が位置する上面１１の中央部、すなわち上面１１のうちの周縁部を除いた位置に位置している。具体的には、上記の領域Ｓは、縦幅（Ｚ方向の長さ）が長さＤ１（２６．０ｃｍ）であり、横幅（Ｘ方向の長さ）が長さＷ１（３５．０ｃｍ）である。そして領域Ｓは、上面１１の前辺１４から長さＤ２（３．５ｃｍ）だけ内側（Ｚ方向側）に位置し、上面１１の後辺１７から長さＤ３（４．０ｃｍ）だけ内側（マイナスＺ方向側）に位置している。また、上記の領域Ｓは、上面１１の左辺１５から長さＷ３（６．０ｃｍ）だけ内側（Ｘ方向側）に位置し、上面１１の右辺１６から長さＷ２だけ内側（６．０ｃｍ）だけ内側（マイナスＸ方向側）に位置している。このように、型取り対象の臀部が押し当てられる上面１１の中央部（領域Ｓ）のみに複数の孔１２を形成し、型取り対象の臀部が押し当てられない上面１１の周縁部に孔を形成しないことで、変形後のフォーム１０の形状の形状維持性を高めることができる。
【００５４】
また上記のように、領域Ｓと上面１１の前辺１４との間の長さＤ２は、領域Ｓと上面１１の後辺１７との間の長さＤ３よりも短くなっている（Ｄ２＜Ｄ３）。すなわち、領域Ｓは、フォーム１０の上面１１の四辺（前辺１４、左辺１５、右辺１６、後辺１７）のうち、前辺１４側に寄った位置にある。
【００５５】
フォーム１０の上面１１のうち前辺１４側に位置する領域には、型取りの際に臀部に加えて大腿部が接触する。複数の孔１２が形成される領域Ｓを上面１１の前辺１４側に寄った位置に設けることで、上面１１が大腿部から受ける圧力により変形し易くなる。このため、大腿部の形状を正確に型取ることができる。
【００５６】
また、フォーム１０の上面１１のうち後辺１７側に位置する領域には、型取りの際に前辺１４側に位置する領域よりも大きな圧力がかかる。臀部だけでなく胴体や頭部といった部位の圧力がかかるためである。この点、上面１１の後辺１７側は、上記のように孔が形成されない領域が上面１１の前辺１４よりも大きいため、上面１１の後辺１７側における形状維持性を高めることができる。
【００５７】
なお、本発明は、上記の実施の形態の構成に限られず種々の変形が可能である。
【００５８】
＜変形例１＞
図６（Ａ）は、変形例１にかかるフォーム１０を示す上面図である。変形例１にかかるフォーム１０では、単位面積当たりの孔１２が形成されている数が、上面１１の周縁部に近づくにつれて多くなっている。すなわち、図６（Ａ）に示す領域Ｓ２やＳ３における単位面積当たりの孔１２の数は、領域Ｓ１における単位面積当たりの孔１２の数よりも多い。また、領域Ｓ４、Ｓ５、Ｓ６、Ｓ７、Ｓ８、Ｓ９における単位面積当たりの孔１２の数は、領域Ｓ２やＳ３における単位面積当たりの孔１２の数よりも更に多くなっている。
【００５９】
図６（Ｂ）は、図６（Ａ）に示す上面図において領域Ｓ４付近を拡大した図である。図６（Ｃ）は、図６（Ａ）に示す上面図において領域Ｓ１付近を拡大した図である。これらの図に示すように、複数の孔１２が並設されてなる列の間隔がＬ４＜Ｌ６となっている。また、隣り合う孔１２との間隔がＬ３＜Ｌ５となっている。
【００６０】
上面１１の周縁部は、上面１１の中央部と比較して、型取り対象の臀部から受ける圧力が小さい。このため、上記のように単位面積当たりの孔１２が形成されている数を上面１１の周縁部に近づくにつれて多くすることで、型取り対象の臀部から受ける圧力が小さい上面１１の周縁部を変形し易くすることができ、臀部の形状を正確に型取ることができる。
【００６１】
また上記では、上面１１の周縁部に近づくにつれて単位面積当たりの孔１２が形成されている数を多くする場合を説明したが、本発明は必ずしもこの場合に限定されない。孔１２の深さを上面１１の周縁部に近づくにつれて深くしてもよい。こうすることで、上記の場合と同様に、型取り対象の臀部から受ける圧力が小さい上面１１の周縁部を変形し易くすることができ、臀部の形状を正確に型取ることができる。
【００６２】
また、孔１２の大きさ（直径Ｈ１の長さ）を上面１１の周縁部に近づくにつれて大きくしてもよい。こうすることで、上記の場合と同様に、型取り対象の臀部から受ける圧力が小さい上面１１の周縁部を変形し易くすることができ、臀部の形状を正確に型取ることができる。
【００６３】
＜変形例２＞
図７は、変形例２にかかる型取りキットを示す斜視図である。型取りキット２００は、上記の実施形態にかかる型取り器１および椅子部１００を備えている。
【００６４】
椅子部１００は、段ボール製であって、座面部６０および座面部６０を支持する脚部９０から構成される。座面部６０は、箱形状を有し、矩形の上壁部６１が型取り器１が載置される載置面となっている。当該載置面には、Ｚ方向に延びる長尺状の面ファスナーのループ部６５Ａ、６５ＢがＸ方向に並設されている（図８（Ａ）参照）。
【００６５】
また、座面部６０の左側壁部６２は、図８（Ｂ）に示すように開閉可能になっている。座面部６０の内部には、座面部６０上に載置された型取り器１と同じ構成の型取り器が予備用して収容されている。当該予備用の型取り器は、左側壁部６２を開いた状態で座面部６０の内部から取り出すことが可能になる。
【００６６】
図９は、変形例２にかかる収容部材２０の底壁２５を示す図である。本図に示すように、底壁２５には、Ｚ方向に延びる長尺状の面ファスナーのフック部２５Ａ、２５ＢがＸ方向に並設されている。すなわち、フック部２５Ａ、２５Ｂは、型取り器１を椅子部１００の載置面に載置した状態において上壁部６１に設けられたループ部６５Ａ、６５Ｂに対応する位置に設けられている。当該フック部２５Ａ、２５Ｂは、型取り器１０を座面部６０の上壁部６１の載置面上に載置する場合に、上壁部６１に設けられたループ部６５Ａ、６５Ｂにより係止される。なお、収容部材２０の底壁２５に面ファスナーのループ部を設け、座面部６０の上壁部６１に面ファスナーのフック部を設けてもよい。
【００６７】
なお、椅子部１００の高さは、標準的な個人の膝下の高さと等しい高さに設定されている。
【００６８】
図１０は、型取りキット２００の使用形態の一例を示す図である。型取りキット２００は、椅子部１００の載置面上に型取り器１が固定された状態で、すなわち、図７に示す状態で配送される。個人は、型取りキット２００の配送後、型取り器１の上に座ることで臀部の形状を型取ることができる。
【００６９】
ここで、型取り器１だけを個人に配送した場合、型取り器１を載置する椅子を個人自身が用意する必要がある。また、型取り器１を載置する椅子は、型取りの精度を考えると、（１）その高さが個人の膝下の高さに近いこと、（２）座面が平らであること、（３）座面の姿勢が安定していること、（４）座面の大きさが型取り器１の大きさより大きいこと、等を満たすことが好ましい。
【００７０】
この点、変形例２にかかる型取りキット２００によれば、個人自身で上記の要件を満たした椅子を別途用意しなくても、椅子部１００が臀部の型取りに適したものとなっているため、安定した姿勢で臀部の型取りを行うことができる。
【００７１】
また、変形例２にかかる型取りキット２００では、座面部６０の載置面上に載置された型取り器１が座面部６０から取り外し可能に構成されており、かつ、座面部６０の内部に予備用の型取り器が収容されている。このため、個人が臀部の型取りに失敗した場合であっても、座面部６０の載置面上から型取り器１を取り外し、座面部６０の内部から予備用の型取り器を取り出し、当該取り出した予備用の型取り器を座面部６０の載置面上に載置することで、再度臀部の型取りを行うことが可能となる。
【００７２】
＜変形例３＞
上記では、本発明の一実施形態にかかる型取り器を個人の臀部の型取りに用いる場合を説明したが、本発明は必ずしもこの場合に限定されない。本発明の一実施形態にかかる型取り器を、個人の頭の形状、腰の形状、腕の形状などの型取りに用いてもよい。
【００７３】
例えば、上記の型取り器を用いて個人の頭の形状を型取った場合、型取り後のフォームから採取される形状データを用いて、その個人の頭の形状に合った帽子などを製作することができる。また、上記の型取り器を用いて個人の腰の形状を型取った場合、型取り後のフォームから採取される形状データを用いて、その個人の腰の形状に合ったサポーターなどを製作することができる。
【００７４】
＜補足＞
図１１（Ａ）〜図１１（Ｅ）に、本発明の一実施形態にかかるフォーム１０を示す六面図を示す。図１１（Ａ）は平面図であり、図１１（Ｂ）は左側面図であり、図１１（Ｃ）は正面図および背面図であり、図１１（Ｄ）は右側面図であり、図１１（Ｅ）は底面図である。正面図および背面図は、同一形である。本発明の一実施形態にかかるフォーム１０は、上記の外観により視覚を通じて美観を起こさせるものである。
【００７５】
また図１２（Ａ）に、単位面積当たりの孔１２が形成されている数を上面１１の周縁部に近づくにつれて多くした場合、すなわち変形例１にかかるフォーム１０の平面図を示す。左側面図、正面図、背面図、右側面図、および底面図は、図１１（Ｂ）〜図１１（Ｅ）に示すものと同一形である。さらに、図１２（Ｂ）に図１２（Ａ）に示したＡ-Ｂ部分拡大図を示し、図１２（Ｃ）に図１２（Ａ）に示したＣ-Ｄ部分拡大図を示している。
【符号の説明】
【００７６】
１      型取り器
１０    フォーム
１１    上面（押当面）
１２    孔
２０    収容部材
３０    平板
２００  型取りキット
【図１】
0006456321.tif 000002
【図２】
0006456321.tif 000003
【図３】
0006456321.tif 000004
【図４】
0006456321.tif 000005
【図５】
0006456321.tif 000006
【図６】
0006456321.tif 000007
【図７】
0006456321.tif 000008
【図８】
0006456321.tif 000009
【図９】
0006456321.tif 000010
【図１０】
0006456321.tif 000011
【図１１】
0006456321.tif 000012
【図１２】
0006456321.tif 000013